(57)【特許請求の範囲】
【請求項１】
第１ウェブサイト運営者に対応する地理的アドレスが第１地理的アドレスのとき、前記第１地理的アドレスに対応する第１地理的アドレスウェブサイトの管理権限を前記第１ウェブサイト運営者に割り当てる地理的アドレスウェブサイト管理部と、
第１ウェブサイト運営者の端末機から第１コンテンツアップロード要請を受信するサーバー通信部と、
前記第１コンテンツアップロード要請に対応する第１コンテンツ情報を前記第１地理的アドレスウェブサイトにマッチングさせ、データベース部に保存するサーバー管理部と、
を有し、
前記地理的アドレスウェブサイト管理部は、
前記第１地理的アドレスに対応するウェブサイト運営者が変更されると、前記第１地理的アドレスに対応する第１地理的アドレスウェブサイトの管理権限を新たに前記第１地理的アドレスに対応するウェブサイト運営者に割り当て、
前記サーバー管理部は、
前記第１地理的アドレスウェブサイトの権利権限が新たに割り当てられる以前のウェブサイト運営者によってアップロード及び蓄積されたコンテンツをユーザ端末機に提供する
ことを特徴とするコミュニケーションポータルサーバー。
【請求項２】
前記地理的アドレスウェブサイト管理部は、地理的アドレス認証部により、前記第１ウェブサイト運営者に対応する地理的アドレスが前記第１地理的アドレスとして認証されると、前記第１地理的アドレスウェブサイトを前記第１ウェブサイト運営者に提供する
ことを特徴とする請求項１に記載のコミュニケーションポータルサーバー。
【請求項３】
前記第１コンテンツ情報は、地理的アドレス情報、地理的アドレスウェブサイト情報、ウェブサイト運営者の情報、コンテンツ分類情報、コンテンツ詳細分類情報、コンテンツ詳細説明情報、アップロード時間情報のうちの少なくとも一つを含む
ことを特徴とする請求項１に記載のコミュニケーションポータルサーバー。
【請求項４】
前記地理的アドレスウェブサイト管理部は、前記第１ウェブサイト運営者に対応する地理的アドレスが、第２地理的アドレスに変更されると、前記第２地理的アドレスに対応する第２地理的アドレスウェブサイトの管理権限を前記第１ウェブサイト運営者に割り当てる
ことを特徴とする請求項１に記載のコミュニケーションポータルサーバー。
【請求項５】
前記地理的アドレスウェブサイト管理部は、第２ウェブサイト運営者に対応する地理的アドレスが、前記第１地理的アドレスに変更されると、前記第１地理的アドレスウェブサイトの管理権限を前記第２ウェブサイト運営者に割り当てる
ことを特徴とする請求項４に記載のコミュニケーションポータルサーバー。
【請求項６】
前記サーバー管理部は、前記サーバー通信部が、前記第２ウェブサイト運営者の端末機から第２コンテンツアップロード要請を受信すると、前記第２コンテンツアップロード要請に対応する第２コンテンツ情報を前記第１地理的アドレスウェブサイトにマッチングさせ、前記データベース部に保存する
ことを特徴とする請求項５に記載のコミュニケーションポータルサーバー。
【請求項７】
第１ウェブサイト運営者に対応する地理的アドレスが第１地理的アドレスのとき、地理的アドレスウェブサイト管理部が、前記第１地理的アドレスに対応する第１地理的アドレスウェブサイトの管理権限を前記第１ウェブサイト運営者に割り当てるステップと、
サーバー通信部が、第１ウェブサイト運営者の端末機から第１コンテンツアップロード要請を受信するステップと、
サーバー管理部が、前記第１コンテンツアップロード要請に対応する第１コンテンツ情報を前記第１地理的アドレスウェブサイトにマッチングさせ、データベース部に保存するステップと、
を有し、
前記地理的アドレスウェブサイト管理部は、
前記第１地理的アドレスに対応するウェブサイト運営者が変更されると、前記第１地理的アドレスに対応する第１地理的アドレスウェブサイトの管理権限を新たに前記第１地理的アドレスに対応するウェブサイト運営者に割り当て、
前記サーバー管理部は、
前記第１地理的アドレスウェブサイトの権利権限が新たに割り当てられる以前のウェブサイト運営者によってアップロード及び蓄積されたコンテンツをユーザ端末機に提供する
ことを特徴とする、コミュニケーションポータルサーバーの管理方法。
【請求項８】
前記地理的アドレスウェブサイト管理部は、
地理的アドレス認証部により、前記第１ウェブサイト運営者に対応する地理的アドレスが前記第１地理的アドレスとして認証されると、前記第１地理的アドレスウェブサイトを前記第１ウェブサイト運営者に提供することを特徴とする
請求項７に記載のコミュニケーションポータルサーバーの管理方法。
【請求項９】
前記第１コンテンツ情報は、地理的アドレス情報、地理的アドレスウェブサイト情報、ウェブサイト運営者の情報、コンテンツ分類情報、コンテンツ詳細分類情報、コンテンツ詳細説明情報、アップロード時間情報のうちの少なくとも一つを含む
ことを特徴とする請求項７に記載のコミュニケーションポータルサーバー管理方法。
【請求項１０】
前記第１ウェブサイト運営者に対応する地理的アドレスが第２地理的アドレスに変更されると、前記地理的アドレスウェブサイト管理部が、前記第２地理的アドレスに対応する第２地理的アドレスウェブサイトの管理権限を前記第１ウェブサイト運営者に割り当てるステップをさらに有する
ことを特徴とする請求項７に記載のコミュニケーションポータルサーバーの管理方法。
【請求項１１】
第２ウェブサイト運営者に対応する地理的アドレスが、前記第１地理的アドレスに変更されると、前記地理的アドレスウェブサイト管理部が、前記第１地理的アドレスウェブサイトの管理権限を前記第２ウェブサイト運営者に割り当てるステップをさらに有する
ことを特徴とする請求項１０に記載のコミュニケーションポータルサーバーの管理方法。
【請求項１２】
前記サーバー通信部が、前記第２ウェブサイト運営者の端末機から第２コンテンツアップロード要請を受信すると、前記サーバー管理部が、前記第２コンテンツアップロード要請に対応する第２コンテンツ情報を前記第１地理的アドレスウェブサイトにマッチングさせて前記データベース部に保存するステップをさらに有する
ことを特徴とする請求項１１に記載のコミュニケーションポータルサーバーの管理方法。
【請求項１３】
請求項７〜１２のいずれか１項に記載のコミュニケーションポータルサーバーの管理方法を実行させるためのプログラムが記録された、コンピュータ読み取り可能な記録媒体。
【発明の詳細な説明】
【技術分野】
【０００１】
本発明は、コミュニケーションポータル管理システム、コミュニケーションポータルサーバー及びポータルサーバー管理方法に関するものであり、特に、コミュニケーションポータルサーバーがウェブサイト運営者の地理的アドレスに対応する地理的アドレスウェブサイトをそれぞれのウェブサイト運営者にそれぞれ提供するコミュニケーションポータル管理システム、コミュニケーションポータルサーバー及びポータルサーバー管理方法に関するものである。地理的アドレスウェブサイトを運営するウェブサイト運営者端末機がコミュニケーションポータルサーバーに接続し、コンテンツアップロード要請を伝送すれば、コミュニケーションポータルサーバーが前記コンテンツアップロード要請に含まれたコンテンツを地理的アドレスウェブサイトにマッチングさせ、前記コンテンツをデータベースに保存する。コミュニケーションポータルサーバーがインターネットユーザから特定のコンテンツに対する要請を受信すれば、コミュニケーションポータルサーバーが前記要請に対応するコンテンツをインターネットユーザに提供する。地理的アドレスに対応するウェブサイト運営者が新たに変更されると、コミュニケーションポータルサーバーは、前記地理的アドレスに対応する地理的アドレスウェブサイトを管理するための管理権限を新たに変更されたウェブサイト運営者に付与する。過去に前記地理的アドレスウェブサイトを管理するための管理権限を付与された少なくとも一つの以前又は現在のウェブサイト運営者によってアップロード及び蓄積されたコンテンツも前記コミュニケーションポータルサーバーを介して提供することができる。
【背景技術】
【０００２】
一般に、人間の多くの行為及び関心事は、自分の家と職場のような特定の地理的なアドレスに当該する場所を中心に存在する。即ち、人間は自分と関係する特定の地理的なアドレスに当該する場所で生きたり、滞在したり、仕事をしたりしながら、飲食を楽しむことを含む一般的な人生に関係する行為を行っていることから、前記のような特定の地理的なアドレスと関係する情報を必要とする場合が多い。
【０００３】
従来には、インターネット上で、誰かがどのような地理的なアドレスに当該する特定の場所と関係する疑問点に対する答えを得るためには、既存のインターネットポータルサイトを利用して情報を検索する方法が一般的であった。また、特定の地理的なアドレスに当該する場所で特定の行為を行う者が、自分が行っている行為に対することを、他人に知らせたいときは、前記行為に関連したウェブサイトをアクセスし、前記行為が既存のインターネットポータルサイトを介して検索できるようにすることが一般的な方法であった。しかし、このように特定の地理的アドレスに対応する行為に対するウェブサイトを作製してインターネットに公開するとしても、一般的なポータルシステムは、このようなウェブサイトと特定の地理的なアドレスに当該する場所を対応させることができなく、このようなウェブサイトを運営する者が、自分が知らせたいコンテンツをウェブサイトに掲示するとしても、一般的なポータルシステムは、このようなウェブサイトを運営する者が知らせたいコンテンツが何であるかを把握することができなかった。
【０００４】
さらに、もし、このようなウェブサイトを運営する者が場所を別の場所に移し、同じ行為を行う場合には、このようなウェブサイトは、以前の地理的なアドレスとの関係は消滅し、以前の地理的なアドレスと関係する情報を知りたい一般的なインターネットユーザとしては、以前の場所で過去に発生したことについては何の情報を得ることができなかった。即ち、特定の地理的なアドレスに当該する場所で特定の行為を行う者が、自分が行っている行為に対するウェブサイトを作製してインターネットに公開するということは、特定の地理的なアドレスに当該する場所で行われる一つの行為に対することであってこのようなウェブサイトが当該する地理的なアドレスそのものを代弁することではなかった。即ち、特定の地理的なアドレスで長期間にわたって発生した過去のことについては知ることができる方法が全く存在しなかった。
【０００５】
従って、一般的な人生に関係する特定の地理的なアドレスに当該する場所に対する情報及び特定の地理的なアドレスに当該する場所で過去に発生した情報のように、特定の地理的なアドレスに当該する場所そのものに関連した情報を知りたい者に、このような特定の地理的なアドレスに当該する場所に対する情報を提供することができる技術が求められていた。また、このような特定の地理的なアドレスに当該する場所で一般的な人生に関係する特定の行為を行う者には、その者が行っている行為に対する情報を検索する一般的なインターネットユーザに、簡単に知らせることができる技術が求められていた。
【発明の概要】
【発明が解決しようとする課題】
【０００６】
したがって、本発明は前記のような問題を解決するためのものであり、コミュニケーションポータル管理システム、コミュニケーションポータルサーバー及びポータルサーバー管理方法を提供することを目的とする。
【課題を解決するための手段】
【０００７】
コミュニケーションポータル管理システムは、地理的アドレスウェブサイトの管理権限を少なくとも一つのウェブサイト運営者に割り当てる地理的アドレスウェブサイト管理部（ここで、前記地理的アドレスウェブサイトは前記少なくとも一つのウェブサイト運営者の地理的アドレスに対応する）；少なくとも一つのウェブサイト運営者端末機からコンテンツアップロード要請を受信するサーバー通信部；及び前記コンテンツアップロード要請に対応するコンテンツ情報をデータベース部に保存するサーバー管理部；を含み、前記コンテンツ情報及び前記地理的アドレスウェブサイトは、前記コンテンツアップロード要請に応じてマッチングし、それぞれの前記少なくとも一つのウェブサイト運営者端末機は、それぞれの前記少なくとも一つのウェブサイト運営者にそれぞれ対応し、コミュニケーションポータルサーバーと通信し、管理権限の所定の条件に従ってコンテンツをアップロードし、少なくとも一つのユーザ端末機は、ユーザから入力されたコンテンツ伝送要請を前記コミュニケーションポータルサーバーに伝送し、前記コミュニケーションポータルサーバーにアップロードされた複数のコンテンツから前記コンテンツ伝送要請に応答するコンテンツを受信する。
【０００８】
本発明の別の実施例により、コミュニケーションポータル管理サーバーは、第１地理的アドレスウェブサイトの管理権限を第１ウェブサイト運営者に割り当てる地理的アドレスウェブサイト管理部（ここで、前記第１ウェブサイト運営者に対応する地理的アドレスは第１地理的アドレスであり、前記第１地理的アドレスウェブサイトは前記第１地理的アドレスに対応する）；第１ウェブサイト運営者端末機から第１コンテンツアップロード要請を受信するサーバー通信部；及び前記コンテンツアップロード要請に対応する第１コンテンツ情報をデータベース部に保存するサーバー管理部；を含み、前記第１コンテンツ情報及び前記第１地理的アドレスウェブサイトは、前記第１コンテンツアップロード要請に応じてマッチングされる。
【０００９】
地理的アドレス認証部により前記第１ウェブサイト運営者に対応する地理的アドレスが前記第１地理的アドレスとして認証されると、前記地理的アドレスウェブサイト管理部は、前記第１地理的アドレスウェブサイトを前記第１ウェブサイト運営者に提供することができる。
【００１０】
前記第１コンテンツ情報は、地理的アドレス情報、地理的アドレスウェブサイト情報、ウェブサイト運営者の情報、コンテンツ分類情報、コンテンツ詳細分類情報、コンテンツ詳細説明情報、アップロード時間情報のうちの少なくとも一つを含むことができる。
【００１１】
前記第１コンテンツアップロード要請は、前記サーバー管理部が提供するコンテンツアップロードフォーマットに従って前記第１ウェブサイト運営者端末機から生成されてもよい。
【００１２】
前記第１ウェブサイト運営者に対応する地理的アドレスが第２地理的アドレスに変更されると、前記地理的アドレスウェブサイト管理部は、第２地理的アドレスウェブサイトの管理権限を前記第１ウェブサイト運営者に割り当てることができる。前記第２地理的アドレスウェブサイトは、前記第２地理的アドレスに対応してもよい。
【００１３】
第２ウェブサイト運営者に対応する地理的アドレスが、前記第１地理的アドレスに変更されると、前記地理的アドレスウェブサイト管理部は、前記第１地理的アドレスウェブサイトの管理権限を前記第２ウェブサイト運営者に割り当てることができる。
【００１４】
前記第２ウェブサイト運営者は、第２ウェブサイト運営者端末機を使用することができる。前記サーバー通信部が、前記第２ウェブサイト運営者端末機から第２コンテンツアップロード要請を受信すると、前記サーバー管理部は前記第２コンテンツアップロード要請に対応する第２コンテンツ情報を前記第１地理的アドレスウェブサイトにマッチングさせ、前記第２コンテンツ情報を前記データベース部に保存することができる。
【００１５】
前記サーバー通信部は、ユーザ端末機からコンテンツ伝送要請を受信することができ、前記サーバー管理部は、前記ユーザ端末機から前記サーバー通信部に伝送された前記コンテンツ伝送要請に応じて、少なくとも一つのコンテンツを前記ユーザ端末機に提供する。
【００１６】
前記コンテンツ伝送要請が受信されると、前記サーバー管理部は、アップロード時間情報又は前記少なくとも一つのコンテンツをアップロードしたウェブサイト運営者に応じて、前記コンテンツ伝送要請に対応する少なくとも一つのコンテンツを前記ユーザ端末機に提供することができる。
【００１７】
前記コンテンツ伝送要請は、要請された地理的アドレスウェブサイトに対する情報を含むことができ、前記要請された地理的アドレスウェブサイトは、前記少なくとも一つのコンテンツを提供する。前記サーバー管理部は、アップロード時間情報又は前記コンテンツをアップロードしたウェブサイト運営者に応じて、前記要請された地理的アドレスウェブサイトに対応する少なくとも一つのコンテンツを前記ユーザ端末機に提供することができる。
【００１８】
前記要請された地理的アドレスウェブサイトからの少なくとも一つのコンテンツは、前記要請された地理的アドレスウェブサイトの管理権限を割り当てられた少なくとも一つの現在又は以前のウェブサイト運営者によってアップロードされたコンテンツを含むことができる。
【００１９】
前記第１地理的アドレスに対応するウェブサイト運営者が変更されると、前記地理的アドレスウェブサイト管理部は、前記第１地理的アドレスウェブサイトの管理権限を新たに前記第１地理的アドレスに対応するウェブサイト運営者に割り当てることができ、前記サーバー管理部は、前記第１地理的アドレスウェブサイトの管理権限を割り当てられた少なくとも一つの現在又は以前のウェブサイト運営者によってアップロードされたコンテンツをユーザ端末機に提供することができる。
【００２０】
本発明の別の実施例により、コミュニケーションポータル管理サーバーは、それぞれの地理的アドレスに対応する地理的アドレスウェブサイトを提供する地理的アドレスウェブサイト管理部；ウェブサイト運営者端末機からコンテンツアップロード要請を受信するサーバー通信部；及び前記コンテンツアップロード要請で前記地理的アドレスウェブサイトの管理権限が確認されると、前記コンテンツアップロード要請に対応するコンテンツ情報をデータベース部に保存するサーバー管理部；を含む。
【００２１】
前記それぞれの地理的アドレスに対応するウェブサイト運営者が変更されると、前記地理的アドレスウェブサイト管理部は、前記それぞれの地理的アドレスウェブサイトの管理権限を新たに前記それぞれの地理的アドレスに対応するウェブサイト運営者に割り当てることができ、前記サーバー管理部は、前記それぞれの地理的アドレスウェブサイトの管理権限を割り当てられた少なくとも一つの現在又は以前のウェブサイト運営者によってアップロード及び蓄積されたコンテンツをユーザ端末機に提供することができる。
【００２２】
本発明の別の実施例により、ポータルサーバー管理方法は、地理的アドレスウェブサイト管理部が、第１地理的アドレスウェブサイトの管理権限を第１ウェブサイト運営者に割り当てるステップ（ここで、第１地理的アドレスは前記第１ウェブサイト運営者に対応する地理的アドレスであり、前記第１地理的アドレスウェブサイトは前記第１地理的アドレスに対応する）；サーバー通信部が第１ウェブサイト運営者端末機から第１コンテンツアップロード要請を受信するステップ；サーバー管理部が前記第１コンテンツアップロード要請に応じて、第１コンテンツ情報を前記第１地理的アドレスウェブサイトにマッチングさせるステップ；及びサーバー管理部が前記第１コンテンツ情報をデータベース部に保存するステップ；を含む。
【００２３】
地理的アドレス認証部により、前記第１ウェブサイト運営者に対応する地理的アドレスが前記第１地理的アドレスとして認証されると、前記地理的アドレスウェブサイト管理部は、前記第１地理的アドレスウェブサイトを前記第１ウェブサイト運営者に提供することができる。
【００２４】
前記第１コンテンツ情報は、地理的アドレス情報、地理的アドレスウェブサイト情報、ウェブサイト運営者の情報、コンテンツ分類情報、コンテンツ詳細分類情報、コンテンツ詳細説明情報、アップロード時間情報のうちの少なくとも一つを含むことができる。
【００２５】
前記第１コンテンツアップロード要請は、前記サーバー管理部が提供するコンテンツアップロードフォーマットに従って前記第１ウェブサイト運営者端末機から生成されていてもよい。
【００２６】
前記ポータルサーバー管理方法は、前記第１ウェブサイト運営者に対応する地理的アドレスが第２地理的アドレスに変更されると、前記地理的アドレスウェブサイト管理部が、前記第２地理的アドレスに対応する第２地理的アドレスウェブサイトの管理権限を前記第１ウェブサイト運営者に割り当てるステップをさらに含むことができる。
【００２７】
前記ポータルサーバー管理方法は、第２ウェブサイト運営者に対応する地理的アドレスが前記第１地理的アドレスに変更されると、前記地理的アドレスウェブサイト管理部が、前記第１地理的アドレスウェブサイトの管理権限を前記第２ウェブサイト運営者に割り当てるステップをさらに含むことができる。
【００２８】
前記ポータルサーバー管理方法は、前記サーバー通信部が第２ウェブサイト運営者端末機から第２コンテンツアップロード要請を受信すると、前記第２コンテンツアップロード要請に対応する第２コンテンツ情報を前記第１地理的アドレスウェブサイトにマッチングさせるステップ；及び前記サーバー管理部は前記第２コンテンツ情報を前記データベース部に保存するステップ；をさらに含むことができる。
【００２９】
前記ポータルサーバー管理方法は、前記サーバー通信部がユーザ端末機からコンテンツ伝送要請を受信するステップ；及び前記サーバー管理部が前記コンテンツ伝送要請に対応する少なくとも一つのコンテンツを前記ユーザ端末機に提供するステップ；をさらに含むことができる。
【００３０】
前記コンテンツ伝送要請が受信されると、前記サーバー管理部は、アップロード時間情報又は前記少なくとも一つのコンテンツをアップロードしたウェブサイト運営者に応じて、前記コンテンツ伝送要請に対応する少なくとも一つのコンテンツを前記ユーザ端末機に提供することができる。
【００３１】
要請された地理的アドレスウェブサイトに対する情報が前記コンテンツ伝送要請に含まれた場合、前記サーバー管理部がアップロード時間情報又は前記コンテンツをアップロードしたウェブサイト運営者に応じて、前記要請された地理的アドレスウェブサイトに対応する少なくとも一つのコンテンツを前記ユーザ端末機に提供することができる。
【００３２】
前記要請された地理的アドレスウェブサイトに対応する少なくとも一つのコンテンツは、前記要請された地理的アドレスウェブサイトの管理権限を割り当てられた少なくとも一つの現在又は以前のウェブサイト運営者によってアップロードされたコンテンツを含むことができる。
【００３３】
前記第１地理的アドレスに対応するウェブサイト運営者が変更されると、前記地理的アドレスウェブサイト管理部は、前記第１地理的アドレスに対応する第１地理的アドレスウェブサイトの管理権限を新たに前記第１地理的アドレスに対応するウェブサイト運営者に割り当てることができ、前記サーバー管理部は、前記第１地理的アドレスウェブサイトの管理権限を割り当てられた少なくとも一つの現在又は以前のウェブサイト運営者によってアップロード及び蓄積されたコンテンツをユーザ端末機に提供することができる。
【００３４】
本発明の別の実施例により、非法定コンピュータ可読媒体は、プロセッサによって実行される場合、プロセッサがポータルサーバー管理方法を実行するようにする命令を保存することができる。前記方法は、地理的アドレスウェブサイト管理部が、第１地理的アドレスウェブサイトの管理権限を第１ウェブサイト運営者に割り当てるステップ（ここで、第１地理的アドレスは前記第１ウェブサイト運営者に対応する地理的アドレスであり、前記第１地理的アドレスウェブサイトは前記第１地理的アドレスに対応する）；サーバー通信部が第１ウェブサイト運営者端末機から第１コンテンツアップロード要請を受信するステップ；サーバー管理部が前記第１コンテンツアップロード要請に応じて、第１コンテンツ情報を前記第１地理的アドレスウェブサイトにマッチングさせるステップ；及びサーバー管理部が前記第１コンテンツ情報をデータベース部に保存するステップ；を含むことができる。前記目的を達成するために、本発明の一実施例により、第１ウェブサイト運営者に対応する地理的アドレスが第１地理的アドレスである場合、前記第１地理的アドレスに対応する第１地理的アドレスウェブサイトの管理権限を、前記第１ウェブサイト運営者に付与する地理的アドレスウェブサイト管理部；第１ウェブサイト運営者端末機から第１コンテンツアップロード要請を受信するサーバー通信部；及び前記第１コンテンツアップロード要請に対応する第１コンテンツ情報を前記第１地理的アドレスウェブサイトに対応させ、前記第１コンテンツ情報をデータベース部に保存するサーバー管理部を；含むコミュニケーションポータルサーバーが提供される。
【図面の簡単な説明】
【００３５】
【図１】本発明の一実施例によるコミュニケーションポータル管理システムを示す簡略なブロックダイアグラムである。
【図２】本発明の一実施例によるコミュニケーションポータルサーバー管理方法を示す流れ図である。
【図３】本発明の別の実施例によるコミュニケーションポータルサーバー管理方法を示す流れ図である。
【図４】本発明の一実施例によるコンテンツアップロード画面を示す概略図である。
【図５】本発明の一実施例による第１コンテンツ提供画面を示すスクリーンショットである。
【図６】発明の別の実施例による第２コンテンツ提供画面を示すスクリーンショットである。
【図７】本発明の一実施例による地理的アドレスウェブサイトで過去ウェブサイト情報を提供するための画面を示す概略図である。
【図８】本発明の別の実施例による地理的アドレスウェブサイトで過去ウェブサイト情報を提供するための画面を示す概略図である。
【発明を実施するための最良の形態】
【００３６】
以下、本発明の実施形態を詳細に参照するが、その例は添付の図面に示されており、いくつかの図を通して同様の参照番号は同様の要素を指す。 これに関して、本実施形態は、異なる形態を有してもよく、本明細書に記載される説明に限定されると解釈されるべきではない。したがって、本明細書の態様を説明するために、図面を参照することにより、実施形態を単に以下に説明する。本明細書で使用される用語は説明目的のみであり、発明の範囲を制限することを意図するものではない。用語「含む」及び／又は「からなる」は、言及された要素、ステップ、動作及び／又は構成要素の存在を特定するために使用されるが、一つ以上の他の要素、ステップ、動作及び／又は構成要素の存在又は追加を排除しない。「第１」、「第２」などの用語は、さまざまな要素を説明するために使用できるが、要素を限定するものではない。 このような用語は、ある要素と別の要素を区別するためにのみ使用される。これら及び／又は他の態様は、添付図面と関連して本発明の実施形態の以下の説明から明らかになり、当業者によってより容易に認識される。本発明、本発明の動作上の利点、及び本発明の実施により達成される目的を十分に理解するために、本発明の実施形態の示す添付図面及び図面に記載された内容を参照する必要がある。
【００３７】
以下、本発明の好ましい実施形態を説明することにより、本発明を詳細に説明する。各図面に提示されている同様の参照符号は同様の要素を意味する。
【００３８】
図１は、本発明の一実施例によるコミュニケーションポータル管理システムを示す簡略なブロックダイアグラムである。図１を参照すれば、本発明の一実施例によるコミュニケーションポータル管理システム１００は、コミュニケーションポータルサーバー１１０、少なくとも一つのウェブサイト運営者端末機１５０及び少なくとも一つのユーザ端末機１７０を含むことができる。図１に示されるように、前記コミュニケーションポータルサーバー１１０、少なくとも一つのウェブサイト運営者端末機１５０及び少なくとも一つのユーザ端末機１７０は、有無線通信網１３０を介して有線又は無線で通信することができる。前記有無線通信網１３０は、有線又は無線で通信可能な通信ネットワークであり、通常の技術者に広く知られているので、詳細説明は省略する。
【００３９】
コミュニケーションポータルサーバー１１０は、地理的アドレスウェブサイト管理部１１１及びサーバー管理部１１３を含むことができる。また、本発明の別の実施例により、前記コミュニケーションポータルサーバー１１０は、サーバー通信部１１５、地理的アドレス認証部１１７、ソフトウェアアプリケーション配布管理部１１８及びデータベース部１１９をさらに含むことができる。
【００４０】
地理的アドレスウェブサイト管理部１１１は、地理的アドレスに当該する地理的アドレスウェブサイトを提供することができる。地理的アドレスウェブサイト管理部１１１は、少なくとも一つのウェブサイト運営者のそれぞれの地理的アドレスに対応する地理的アドレスウェブサイトの管理権限を前記少なくとも一つのウェブサイト運営者にそれぞれ付与することができる。例えば、第１ウェブサイト運営者に対応する地理的アドレスが第１地理的アドレスである場合、地理的アドレスウェブサイト管理部１１１は、前記第１地理的アドレスに対応する第１地理的アドレスウェブサイトの管理権限を前記第１ウェブサイト運営者に付与することができる。第１ウェブサイト運営者は、第１ウェブサイト運営者の端末機１５０＿１を介してコミュニケーションポータルサーバー１１０に接続し、ウェブサイト運営者として会員加入することができ、会員加入時、ウェブサイト運営者の情報と地理的アドレスを入力することができる。一例として、前記ウェブサイト運営者に対応する地理的アドレスは、ウェブサイト運営者の事業場などが位置した地理的アドレスであってもよく、前記地理的アドレスウェブサイトのＵＲＬ（Uniform Resource Locator）は、www.addressmatch.com/geoaddressのような形態であってもよく、それぞれの地理的アドレスにより「geoaddress」部分が多様に変更されてもよい。本発明の別の実施例により、前記それぞれのウェブサイト運営者に対応するＵＲＬは、前記それぞれのウェブサイト運営者にそれぞれ提供することができ、前記ウェブサイト運営者に対応する地理的アドレスウェブサイトのＵＲＬと同様の、又は異なるＵＲＬにリダイレクト（redirect）される。
【００４１】
本発明の別の実施例により、地理的アドレス認証部１１７により前記第１ウェブサイト運営者に対応する地理的アドレスが前記第１地理的アドレスとして認証されると、前記地理的アドレスウェブサイト管理部１１１は、前記第１地理的アドレスウェブサイトを前記第１ウェブサイト運営者に提供することができる。一例として、地理的アドレス認証部１１７により前記第１ウェブサイト運営者に対応する地理的アドレスが前記第１地理的アドレスとして認証されると、前記地理的アドレスウェブサイト管理部１１１は、前記第１地理的アドレスウェブサイトを生成し、第１地理的アドレスウェブサイトの管理権限を第１ウェブサイト運営者に付与することができる。会員加入時、第１ウェブサイト運営者端末機１５０＿１から伝送されたデータ又は第１ウェブサイト運営者が提出した書類（例：事業者登録証など）を分析し、第１ウェブサイト運営者に対応する地理的アドレスが第１地理的アドレスとして認証されると、地理的アドレス認証部１１７は、地理的アドレス認証結果を地理的アドレスウェブサイト管理部１１１に伝送することができる。地理的アドレス認証部１１７は、第１ウェブサイト運営者端末機１５０＿１から伝送されたデータを分析し、第１ウェブサイト運営者の名称及び地理的アドレスを抽出することができる。前記地理的アドレス認証部１１７は、前記第１ウェブサイト運営者が提出した書類を分析するために、書類をスキャンし、スキャンされたデータを電子データに変換するスキャン装置などをさらに含むことができる。
【００４２】
また、第１ウェブサイト運営者に対応する地理的アドレスが第１地理的アドレスから第２地理的アドレスに変更されると、前記地理的アドレスウェブサイト管理部１１１は、前記第２地理的アドレスに対応する第２地理的アドレスウェブサイトの管理権限を、前記第１ウェブサイト運営者に付与することができ、第１地理的アドレスに対応する第１地理的アドレスウェブサイトの管理権限は、前記第１ウェブサイト運営者から回収することができる。また、第２ウェブサイト運営者に対応する地理的アドレスが前記第１地理的アドレスに変更されると、前記地理的アドレスウェブサイト管理部１１１は、前記第１地理的アドレスウェブサイトの管理権限を前記第２ウェブサイト運営者に付与することができる。即ち、前記第１地理的アドレスに対応するウェブサイト運営者が変更されると、前記地理的アドレスウェブサイト管理部１１１は、前記第１地理的アドレスに対応する第１地理的アドレスウェブサイトの管理権限を、新たに前記第１地理的アドレスに割り当てられた（assigned）ウェブサイト運営者に付与することができる。サーバー管理部１１３は、前記第１地理的アドレスウェブサイトの管理権限を付与された少なくとも一つの以前（previous）又は現在のウェブサイト運営者によってアップロード及び蓄積されたコンテンツも少なくとも一つのユーザ端末機１７０に提供することができる。一例として、サーバー管理部１１３は、前記第１地理的アドレスウェブサイトの管理権限を付与された少なくとも一つの以前又は現在のウェブサイト運営者によってアップロード及び蓄積されたコンテンツも前記第１地理的アドレスウェブサイトを介して提供することができる。
【００４３】
それぞれの地理的アドレスに対応するウェブサイト運営者が新たに変更されると、地理的アドレスウェブサイト管理部１１１は、前記それぞれの地理的アドレスに対応する地理的アドレスウェブサイトの管理権限を新たに前記地理的アドレスに割り当てられた（assigned）ウェブサイト運営者に付与することができる。サーバー管理部１１３は、前記地理的アドレスウェブサイトの管理権限を付与された少なくとも一つの以前又は現在のウェブサイト運営者によってアップロード及び蓄積されたコンテンツも少なくとも一つのユーザ端末機１７０に提供することができる。一例として、サーバー管理部１１３は、前記地理的アドレスウェブサイトの管理権限を付与された少なくとも一つの以前又は現在のウェブサイト運営者によってアップロード及び蓄積されたコンテンツも前記地理的アドレスウェブサイトを介して提供することができる。これにより、本発明の一実施例によるコミュニケーションポータル管理システム１００は、地理的アドレスに対応する地理的アドレスウェブサイトの運営者が変更されても少なくとも一つの以前又は現在のウェブサイト運営者によって蓄積されたコンテンツ情報が、同じ地理的アドレスに対応する地理的アドレスウェブサイトを介して提供することができる効果がある。
【００４４】
地理的アドレスウェブサイト管理部１１１により生成された地理的アドレスウェブサイト及び前記地理的アドレスウェブサイトの管理権限に対するデータは、ウェブサイト運営者の名称、ウェブサイト運営者の情報、ウェブサイト運営者の地理的アドレスなどの情報と共に、前記データベース部１１９に保存することができる。
【００４５】
サーバー管理部１１３は、サーバー通信部１１５を介して少なくとも一つのウェブサイト運営者端末機１５０からコンテンツアップロード要請を受信することができ、前記コンテンツアップロード要請に対応するコンテンツ情報をデータベース部１１９に保存することができる。一例として、前記サーバー管理部１１３は、前記コンテンツ情報を前記コンテンツアップロード要請に対応する地理的アドレスウェブサイトに対応することができ、前記コンテンツ情報をデータベース部１１９に保存することができる。ここで、前記コンテンツ情報は、前記コンテンツアップロード要請に対応する。前記コンテンツアップロード要請にはウェブサイト運営者に関する情報及び地理的アドレスウェブサイトの管理権限に関する情報のうちの少なくとも一つが含まれてもよく、サーバー管理部１１３は、前記コンテンツアップロード要請に対応する地理的アドレスウェブサイトを知ることができる。一例として、前記コンテンツアップロード要請により前記地理的アドレスウェブサイトの管理権限が確認されると、前記サーバー管理部１１３は、前記コンテンツアップロード要請に対応するコンテンツ情報をデータベース部１１９に保存することができる。一例として、前記コンテンツアップロード要請により前記地理的アドレスウェブサイトの管理権限が確認されると、前記サーバー管理部１１３は、前記コンテンツ情報を前記地理的アドレスウェブサイトの確認された管理権限に対応する地理的アドレスウェブサイトに対応することができ、前記コンテンツ情報をデータベース部１１９に保存することができる。一例として、前記コンテンツ情報は、地理的アドレス情報、地理的アドレスウェブサイト情報、ウェブサイト運営者の情報、コンテンツ分類情報、コンテンツ詳細分類情報、コンテンツ詳細説明情報、アップロード時間情報のうちの少なくとも一つを含むことができる。
【００４６】
一方、ウェブサイト運営者が他の地理的アドレスに引っ越すか、会員から脱退するなどの理由が発生すれば、サーバー管理部１１３は、前記地理的アドレスウェブサイトの管理権限を、前記ウェブサイト運営者から回収することができる。サーバー管理部１１３は、回収された地理的アドレスウェブサイトの管理権限を前述したことのような動作を通して再び他のウェブサイト運営者に付与することができる。
【００４７】
サーバー通信部１１５は、有無線通信網１３０を介して有線又は無線で少なくとも一つのウェブサイト運営者端末機１５０及び少なくとも一つのユーザ端末機１７０とデータを通信することができる。サーバー通信部１１５は、少なくとも一つのウェブサイト運営者端末機１５０からコンテンツアップロード要請を受信することができ、少なくとも一つのユーザ端末機１７０からコンテンツ伝送要請を受信することができる。前記サーバー通信部１１５は、ＴＣＰ／ＩＰなどを支援する有線インターネット通信モジュール又はＷＣＤＭＡ（Wideband Code Division Multiple Access）（登録商標）、ＬＴＥ（Long Term Evolution）、ＷｉＢｒｏ（Wireless Broadband Internet）及びＷｉＦｉ（Wireless Fidelity）などのような多様な無線通信方法中の少なくとも一つを支援する通信モジュールで具現することができる。サーバー通信部１１５は、前述したことのような多様な通信方法中の少なくとも一つを支援する通信モジュールで具現してもよく、通常の技術者に知らされた範囲で多様に変更されてもよい。
【００４８】
サーバー通信部１１５が少なくとも一つのユーザ端末機１７０からコンテンツ伝送要請を受信した場合、サーバー管理部１１３は、前記コンテンツ伝送要請に対応する少なくとも一つのコンテンツを少なくとも一つのユーザ端末機１７０に提供することができる。一例として、前記サーバー管理部１１３は、前記コンテンツ伝送要請を受信すれば、前記コンテンツ伝送要請に対応する少なくとも一つのコンテンツをアップロード時間情報又はアップロードしたウェブサイト運営者により前記少なくとも一つのユーザ端末機１７０に提供することができる。一例として、前記コンテンツ伝送要請に要請された地理的アドレスウェブサイトに対する情報が含まれた場合、前記サーバー管理部１１３は、前記要請された地理的アドレスウェブサイトに対応する少なくとも一つのコンテンツをユーザ端末機１７０に提供することができる。一例として、前記コンテンツ伝送要請に前記要請された地理的アドレスウェブサイトに対する情報が含まれた場合、前記サーバー管理部１１３は前記要請された地理的アドレスウェブサイトに対応する少なくとも一つのコンテンツをアップロード時間情報又は前記コンテンツをアップロードしたウェブサイト運営者により前記少なくとも一つのユーザ端末機１７０に提供することができる。前記要請された地理的アドレスウェブサイトは、ユーザがユーザ端末機１７０を介して選択した地理的アドレスウェブサイトであって、ユーザがコンテンツの提供を受けようとする地理的アドレスウェブサイトであってもよい。ユーザがユーザ端末機１７０を介してコミュニケーションポータルサーバー１１０に接続した後、要請された地理的アドレスウェブサイトをクリックするか、選択すれば、前記選ばれた地理的アドレスウェブサイトに対する情報が、前記要請された地理的アドレスウェブサイトとしてコンテンツ伝送要請に含まれ、サーバー通信部１１５に伝送することができる。前記要請された地理的アドレスウェブサイトに対応する少なくとも一つのコンテンツは、過去に前記要請された地理的アドレスウェブサイトの管理権限を付与された少なくとも一つのウェブサイト運営者によってアップロードされたコンテンツを全部又は一部を含み得る。
【００４９】
一方、前記コンテンツ伝送要請は、複数個の要請された地理的アドレスウェブサイトに対する情報を含んでもよい。コンテンツ伝送要請に複数個の要請された地理的アドレスウェブサイトに対する情報が含まれた場合、サーバー管理部１１３は、前記複数個の要請された地理的アドレスウェブサイトに対応する少なくとも一つのコンテンツをユーザ端末機１７０に提供することができる。一例として、前記複数個の要請された地理的アドレスウェブサイトに対応する少なくとも一つのコンテンツは、コンテンツ分類、地理的アドレスウェブサイト、アップロード時間情報及びコンテンツをアップロードしたウェブサイト運営者中の少なくとも一つにより分類され、ユーザ端末機１７０に提供することができる。
【００５０】
ソフトウェアアプリケーション配布管理部１１８は、前記少なくとも一つのウェブサイト運営者端末機１５０及び少なくとも一つのユーザ端末機１７０がコミュニケーションポータルサーバー１１０に接続するためのソフトウェアアプリケーションを配布及び管理することができる。少なくとも一つのウェブサイト運営者端末機１５０及び少なくとも一つのユーザ端末機１７０は、コミュニケーションポータルサーバー１１０に接続するためのソフトウェアアプリケーションを、ソフトウェアアプリケーション配布管理部１１８を介してダウンロードすることができる。
【００５１】
データベース部１１９は、地理的アドレスウェブサイト管理部１１１により生成された地理的アドレスウェブサイト及び地理的アドレスウェブサイトの管理権限に対する情報、ウェブサイト運営者及びユーザなどの会員情報などコミュニケーションポータルサーバー１１０の動作に必要な多様なデータを保存することができ、通常の技術者に知らされた多様なデータ記憶装置によって具現され得る。
【００５２】
一方、地理的アドレスウェブサイト管理部１１１、サーバー管理部１１３、地理的アドレス認証部１１７及びソフトウェアアプリケーション配布管理部１１８は、コミュニケーションポータルサーバー１１０の部分であり、コミュニケーションポータルサーバー１１０に保存され、実行されるソフトウェア応用プログラムにより具現され、作動され得る。
【００５３】
少なくとも一つのウェブサイト運営者端末機１５０は、前記少なくとも一つのウェブサイト運営者にそれぞれ対応することができ、前記コミュニケーションポータルサーバー１１０と通信し、前記少なくとも一つのウェブサイト運営者が付与された地理的アドレスウェブサイトの管理権限に対応するコンテンツをアップロードすることができる。それぞれのウェブサイト運営者は、ウェブサイト運営者端末機１５０を介してコミュニケーションポータルサーバー１１０に接続し、ウェブサイト運営者として会員加入することができ、前記会員加入情報は、データベース部１１９に保存することができる。
【００５４】
前記少なくとも一つのウェブサイト運営者端末機１５０は、前記ソフトウェアアプリケーション配布管理部１１８でダウンロードしたソフトウェアアプリケーションを介して、前記コミュニケーションポータルサーバー１１０と通信し、前記少なくとも一つのウェブサイト運営者が付与された地理的アドレスウェブサイトの管理権限に対応するコンテンツをアップロードすることができる。前記少なくとも一つのウェブサイト運営者端末機１５０は、ユーザコンピュータ（ＰＣ）、携帯電話、スマートフォン、タブレットＰＣ、自動車ナビゲーターなど有線又は無線でデータ通信が可能な多様な形態の端末機又は電子装備であってもよく、通常の技術者に知らされた範囲で多様に変更することができる。図１には、第１ウェブサイト運営者端末機１５０＿１及び第２ウェブサイト運営者端末機１５０＿２だけが示されているが、これは例示であり、本発明の一実施例によるコミュニケーションポータル管理システム１００は、３個以上のウェブサイト運営者端末機を含み得る。
【００５５】
少なくとも一つのユーザ端末機１７０は、ユーザから入力されたコンテンツ伝送要請を前記コミュニケーションポータルサーバー１１０に伝送し、前記コミュニケーションポータルサーバー１１０にアップロードされたコンテンツの中から前記コンテンツ伝送要請に対応するコンテンツを受信することができる。それぞれのユーザは、ユーザ端末機１７０を介してコミュニケーションポータルサーバー１１０に接続し、ユーザとして会員加入することができ、前記会員加入情報は、データベース部１１９に保存することができる。ただし、これは例示であり、それぞれのユーザは、別途の会員加入手続きなしでコミュニケーションポータルサーバー１１０に接続し、コンテンツを検索することもできる。
【００５６】
前記少なくとも一つのユーザ端末機１７０は、前記ソフトウェアアプリケーション配布管理部１１８でダウンロードしたソフトウェアアプリケーションを介して、前記コンテンツ伝送要請を前記コミュニケーションポータルサーバー１１０で伝送し、前記コンテンツ伝送要請に対応するコンテンツを受信することができる。前記少なくとも一つのユーザ端末機１７０は、ユーザコンピュータ（ＰＣ）、携帯電話、スマートフォン、タブレットＰＣ、自動車ナビゲーターなど有線又は無線でデータ通信が可能な多様な形態の端末機又は電子装備であってもよく、通常の技術者に知らされた範囲で多様に変更することができる。図１には、第１ユーザ端末機１７０＿１及び第２ユーザ端末機１７０＿２だけが示されているが、これは例示であり、本発明の一実施例によるコミュニケーションポータル管理システム１００は、３個以上のユーザ端末機を含み得る。
【００５７】
一方、図１に示された少なくとも一つのウェブサイト運営者端末機１５０に対応するウェブサイト運営者の一部と少なくとも一つのユーザ端末機１７０に対応するユーザの一部は、互いに同一人であってもよく、少なくとも一つのウェブサイト運営者端末機１５０の一部は、少なくとも一つのユーザ端末機１７０の一部と一致していてもよい。
【００５８】
図１に示されたコミュニケーションポータル管理システム１００の動作に対する具体的な説明は、図２及び図３を参照して詳しく説明する。
【００５９】
図２は、本発明の一実施例によるコミュニケーションポータルサーバー管理方法を示す流れ図である。一例として、図２に示された本発明の一実施例によるコミュニケーションポータルサーバー管理方法２００は、図１を参照して前述したコミュニケーションポータルサーバー１１０により行うことができる。
【００６０】
図２を参照すれば、本発明の一実施例によるコミュニケーションポータルサーバー管理方法２００は、第１ウェブサイト運営者Ｎ１に対応する地理的アドレスが第１地理的アドレスＡ１の場合、地理的アドレスウェブサイト管理部１１１が第１地理的アドレスＡ１に対応する第１地理的アドレスウェブサイトＷ１を管理する管理権限Ｒ１を、第１ウェブサイト運営者Ｎ１に割り当てるステップＳ２１を含むことができる。一例として、第１地理的アドレスウェブサイトＷ１を管理する管理権限Ｒ１は、第１地理的アドレスウェブサイトＷ１にコンテンツをアップロードすることができる管理権限であってもよい。
【００６１】
第１ウェブサイト運営者Ｎ１に関するデータは、下記表１のような形態でデータベース部１１９に保存してもよく、追加されたウェブサイト運営者に関するデータも表１のような形態でデータベース部１１９にさらに保存することができる。ウェブサイト運営者の情報には、第１ウェブサイト運営者Ｎ１と関連した多様な情報である第１ウェブサイト運営者の情報Ｋ１が保存され得る。
【表１】
0006908948.tif 000002
【００６２】
一例として、地理的アドレス認証部１１７により前記第１ウェブサイト運営者Ｎ１に対応する地理的アドレスが第１地理的アドレスＡ１であると認証されると、地理的アドレスウェブサイト管理部１１１は、第１地理的アドレスウェブサイトＷ１を生成し、第１地理的アドレスウェブサイトＷ１を管理する管理権限Ｒ１を前記第１ウェブサイト運営者Ｎ１に付与することができる。ただし、表１のようなデータ形態は例示であり、データベース部１１９に保存されるウェブサイト運営者に関するデータのタイプは様々であってもよい。また、前記第１地理的アドレスウェブサイトＷ１は、第１ウェブサイト運営者Ｎ１に対応する地理的アドレスが第１地理的アドレスＡ１であると認証される前に、予め生成されていてもよい。
【００６３】
次に、本発明の一実施例によるコミュニケーションポータルサーバー管理方法２００は、サーバー通信部１１５が第１ウェブサイト運営者端末機１５０＿１から第１コンテンツアップロード要請を受信するステップＳ２２を含むことができる。前記第１コンテンツアップロード要請は、前記サーバー管理部１１３が提供するコンテンツアップロードフォーマットに従って第１ウェブサイト運営者Ｎ１により第１ウェブサイト運営者端末機１５０＿１で生成することができる。
【００６４】
第１ウェブサイト運営者Ｎ１が第１ウェブサイト運営者端末機１５０＿１を介して、コミュニケーションポータルサーバー１１０に接続し、会員加入を行った後、アカウントとパスワードを入力し、コミュニケーションポータルサーバー１１０が提供するポータルサイトにログインすることができる。第１ウェブサイト運営者Ｎ１が会員に加入するとき、地理的アドレスに対する認証が完了した場合には、第１ウェブサイト運営者Ｎ１が後で前記ポータルサイトにログインすれば、第１地理的アドレスＡ１での認証が実行されたとみなすことができる。
【００６５】
前記第１コンテンツアップロード要請には、第１ウェブサイト運営者Ｎ１に関する情報及び第１地理的アドレスウェブサイトＷ１を管理する管理権限Ｒ１に関する情報の少なくとも一つが含まれてもよく、第１コンテンツ情報が含まれてもよい。第１ウェブサイト運営者Ｎ１は、コミュニケーションポータルサーバー１１０が提供するポータルサイトにログインした後、第１コンテンツアップロード要請することができる。第１ウェブサイト運営者Ｎ１のログイン情報に基づいて、第１ウェブサイト運営者Ｎ１に関する情報及び第１地理的アドレスウェブサイトＷ１を管理する管理権限Ｒ１に関する情報の少なくとも一つが第１コンテンツアップロード要請に含まれ得る。
【００６６】
次に、本発明の一実施例によるコミュニケーションポータルサーバー管理方法２００は、サーバー管理部１１３が前記第１コンテンツアップロード要請に対応する第１コンテンツ情報を前記第１地理的アドレスウェブサイトＷ１に対応（match）させ、前記第１コンテンツ情報をデータベース部１１９に保存するステップＳ２３を含むことができる。
【００６７】
一例として、第１ウェブサイト運営者Ｎ１が、コミュニケーションポータルサーバー１１０に接続して、ログインした状態であるので、第１ウェブサイト運営者端末機１５０＿１から伝送された第１コンテンツアップロード要請が受信されると、サーバー管理部１１３は、追加的な管理アクセス権チェック作業なしに第１コンテンツアップロード要請に含まれた第１コンテンツ情報を第１地理的アドレスウェブサイトＷ１に対応（match）させ、前記第１コンテンツ情報をデータベース部１１９に保存することができる。
【００６８】
別の実施例として、前記第１コンテンツアップロード要請から前記第１地理的アドレスウェブサイトＷ１を管理する管理権限Ｒ１が確認されると、前記サーバー管理部１１３は、前記第１コンテンツアップロード要請に対応する第１コンテンツ情報を前記第１地理的アドレスウェブサイトＷ１に対応（match）させ、前記第１コンテンツ情報をデータベース部１１９に保存することができる。第１ウェブサイト運営者Ｎ１に関する情報及び第１地理的アドレスウェブサイトＷ１を管理する管理権限Ｒ１に関する情報の少なくとも一つが第１コンテンツアップロード要請に含まれ得るので、サーバー管理部１１３は、第１コンテンツアップロード要請から前記第１地理的アドレスウェブサイトＷ１を管理する管理権限Ｒ１を確認することができる。サーバー管理部１１３は、第１ウェブサイト運営者Ｎ１が第１地理的アドレスウェブサイトＷ１の管理権限Ｒ１を付与されたことを、データベース部１１９を介して確認することができるので、サーバー管理部１１３は、第１ウェブサイト運営者端末機１５０＿１から受信された第１コンテンツアップロード要請を受諾し、第１コンテンツアップロード要請に対応する第１コンテンツ情報をデータベース部１１９に保存することができる。第１地理的アドレスウェブサイトＷ１の管理権限Ｒ１を付与されていないウェブサイト運営者が第１地理的アドレスウェブサイトＷ１にコンテンツをアップロードするために、コンテンツアップロード要請を伝送する場合、サーバー管理部１１３は、データベース部１１９を介して第１地理的アドレスウェブサイトＷ１の管理権限Ｒ１を確認した後、前記誤ったコンテンツアップロード要請を拒否することができる。
【００６９】
前記第１コンテンツ情報は、前記第１コンテンツアップロード要請に含まれてもよく、地理的アドレス情報、地理的アドレスウェブサイト情報、ウェブサイト運営者の情報、コンテンツ分類情報、コンテンツ詳細分類情報、コンテンツ詳細説明情報、アップロード時間情報のうちの少なくとも一つを含むことができる。一例として、前記第１コンテンツ情報は、第１ウェブサイト運営者端末機１５０＿１から伝送されたものであるので、第１コンテンツ情報に含まれる地理的アドレス情報は、第１地理的アドレスＡ１であってもよく、地理的アドレスウェブサイト情報は、第１地理的アドレスウェブサイトＷ１であってもよく、ウェブサイト運営者の情報は、第１ウェブサイト運営者Ｎ１であってもよい。また、第１コンテンツ情報に含まれるコンテンツ分類情報は、第１コンテンツ分類Ｓ１であってもよく、第１コンテンツ情報に含まれるコンテンツ詳細分類情報は、第１コンテンツ詳細分類Ｐ１であってもよく、第１コンテンツ情報に含まれるコンテンツ詳細説明情報は、第１コンテンツ詳細説明Ｄ１であってもよく、第１コンテンツ情報に含まれるアップロード時間情報は第１アップロード時間Ｔ１であってもよい。したがって、第１コンテンツの名称をＣ１とした場合、第１コンテンツ情報に関するデータは下記表２のような形態でデータベース部１１９に保存され得る。
【表２】
0006908948.tif 000003
【００７０】
一例として、前記コンテンツ分類情報には、「不動」、「割引」、「求人求職」、「販売」、「購買」等が含まれ得る。コンテンツ分類情報が「不動産」のインコンテンツは、不動産の売買や賃貸などに関連したコンテンツであってもよく、コンテンツ分類情報が「割引」のコンテンツは、販売商品などの割引に関連したコンテンツであってもよく、コンテンツ分類情報が「求人求職」のコンテンツは、職員を求めるか、職業を求める情報を含むコンテンツであってもよい。コンテンツ分類情報が「販売」のコンテンツは、製品を販売する内容を含むコンテンツであってもよく、コンテンツ分類情報が「購買」のコンテンツは製品を購入する内容を含むコンテンツであってもよい。一例として、第１コンテンツ情報に含まれるコンテンツ分類情報である第１コンテンツ分類Ｓ１は、前述したコンテンツ分類のいずれか一つであってもよい。
【００７１】
前記コンテンツ詳細分類情報は、前記コンテンツ分類情報に従ってそれぞれ異なる詳細分類を含むことができる。一例として、コンテンツ分類情報が「不動産」の場合、コンテンツ詳細分類情報は「売買」や「賃貸」等に関する情報を、コンテンツ分類情報が「割引」の場合、コンテンツ詳細分類情報は、割引製品に関する情報など、コンテンツ分類情報が「求人求職」の場合、コンテンツ詳細分類情報は「正規職」、「時間制」、「非正規職」、「臨時職」、「アルバイト」等に関する情報を含むことができる。コンテンツ分類情報が「販売」又は「購買」の場合、コンテンツ詳細分類情報は、コンピュータ、自動車など製品の種類に関する情報などを含むことができる。一例として、第１コンテンツ情報に含まれるコンテンツ詳細分類情報である第１コンテンツ詳細分類Ｐ１は、前述したコンテンツ詳細分類のいずれか一つであってもよい。本発明の別の実施例により、前記コンテンツ詳細分類情報は、複数個のステップ又は階層からなっていてもよい。
【００７２】
コンテンツ詳細説明情報には、当該コンテンツに関し、ウェブサイト運営者が入力した詳細な説明が保存され、アップロード時間情報には当該コンテンツがアップロードされた時間が保存され得る。
サーバー管理部１１３は、サーバー通信部１１５を介して前記コンテンツ分類及びコンテンツ詳細分類に関する情報をウェブサイト運営者の端末機１５０に提供することができる。ウェブサイト運営者は、ウェブサイト運営者の端末機１５０を利用して前記コンテンツ分類及びコンテンツ詳細説明などを入力し、コンテンツアップロード要請を生成することができる。前記コンテンツ分類及びコンテンツ詳細分類の細部項目はデータベース部１１９に保存されていてもよく、多様に変更され得る。
【００７３】
一方、図２に示されていないが、本発明の一実施例によるコミュニケーションポータルサーバー管理方法２００は、図３に示されたステップＳ３７と同様に、サーバー通信部１１５がユーザ端末機１７０からコンテンツ伝送要請を受信し、前記サーバー管理部１１３が前記コンテンツ伝送要請に対応する少なくとも一つのコンテンツを前記ユーザ端末機１７０に提供するステップをさらに含むことができる。
【００７４】
第１ユーザは、第１ユーザ端末機１７０＿１を介してサーバー管理部１１３が提供するポータルサイトに接続するか、ソフトウェアアプリケーション配布管理部１１８からダウンロードしたアプリケーションプログラムを介してコンテンツ伝送要請をサーバー通信部１１５に伝送することができる。
【００７５】
一例として、第１ユーザはコンテンツを検索しようとする地域、自分が検索しようとするコンテンツ分類などを選択してコンテンツ伝送要請を生成した後、前記コンテンツ伝送要請をサーバー通信部１１５に伝送することができる。これにより、サーバー管理部１１３は、前記コンテンツ伝送要請に対応するコンテンツを第１ユーザ端末機１７０＿１に提供することができる。また、前記コンテンツ伝送要請は、コンテンツ詳細分類情報、キーワード情報、期間情報などをさらに含むことができる。即ち、ユーザは、コンテンツ詳細分類情報によりコンテンツをさらに詳細に区分して検索することができ、キーワード情報によりユーザが入力したキーワードを含むコンテンツを検索することができ、期間情報によりユーザが検索しようとする特定期間に対応するコンテンツを検索することもできる。
【００７６】
また、前記コンテンツ伝送要請に前記要請された地理的アドレスウェブサイトに対する情報が含まれた場合、前記サーバー管理部１１３が前記要請された地理的アドレスウェブサイトに対応する少なくとも一つのコンテンツを第１ユーザ端末機１７０＿１に提供することができる。一例として、前記要請された地理的アドレスウェブサイトに対応する少なくとも一つのコンテンツは、アップロード時間情報により順次に整列され、第１ユーザ端末機１７０＿１に提供され得る。また、前記コンテンツをアップロードしたウェブサイト運営者がそれぞれ異なる場合、前記要請された地理的アドレスウェブサイトに対応する少なくとも一つのコンテンツは、前記コンテンツをアップロードしたウェブサイト運営者に応じて分類され、第１ユーザ端末機１７０＿１に提供されることもできる。前記要請された地理的アドレスウェブサイトに対応する少なくとも一つのコンテンツは、過去に前記要請された地理的アドレスウェブサイトの管理権限を付与された少なくとも一つのウェブサイト運営者によってアップロードされたコンテンツの全部又は一部を含むことができる。これにより、ユーザが検索しようとする地理的アドレスウェブサイトのウェブサイト運営者が変更された場合にも、ユーザは当該地理的アドレスウェブサイトの少なくとも一つの以前又は現在のウェブサイト運営者によってアップロードされたコンテンツが累積された結果を得ることができる。
【００７７】
図３は、本発明の別の実施例によるコミュニケーションポータルサーバー管理方法を示す流れ図である。一例として、図３に示された本発明の別の実施例によるコミュニケーションポータルサーバー管理方法３００は、図１を参照して、前述したコミュニケーションポータルサーバー１１０により行われ得る。
【００７８】
図３を参照すれば、本発明の別の実施例によるコミュニケーションポータルサーバー管理方法３００に含まれるステップＳ３１、Ｓ３２、Ｓ３３は、図２を参照して前述したステップＳ２１、Ｓ２２、Ｓ２３とそれぞれ類似していてもよい。
【００７９】
次に、本発明の別の実施例によるコミュニケーションポータルサーバー管理方法３００は、第１ウェブサイト運営者Ｎ１に対応する地理的アドレスが第２地理的アドレスＡ２に変更されると、地理的アドレスウェブサイト管理部１１１が前記第２地理的アドレスＡ２に対応する第２地理的アドレスウェブサイトＷ２を管理する管理権限Ｒ２を、前記第１ウェブサイト運営者Ｎ１に割り当てるステップＳ３４をさらに含むことができる。第１ウェブサイト運営者Ｎ１に対応する地理的アドレスが第１地理的アドレスＡ１で第２地理的アドレスＡ２に変更されると、地理的アドレスウェブサイト管理部１１１は第１地理的アドレスＡ１に対応する第１地理的アドレスウェブサイトＷ１を管理する管理権限Ｒ１を、前記第１ウェブサイト運営者Ｎ１から回収することができる。即ち、引っ越しなどによって第１ウェブサイト運営者Ｎ１の事業場の位置が第１地理的アドレスＡ１から第２地理的アドレスＡ２に変更されると、前記表１に記載されたウェブサイト運営者に関するデータは、下記表３のように変更され、データベース部１１９に保存され得る。
【表３】
0006908948.tif 000004
【００８０】
地理的アドレス認証部１１７により前記第１ウェブサイト運営者Ｎ１に対応する地理的アドレスが第２地理的アドレスＡ２に変更されたことが認証されると、地理的アドレスウェブサイト管理部１１１は、第２地理的アドレスウェブサイトＷ２を生成することができ、第２地理的アドレスウェブサイトＷ２を管理する管理権限Ｒ２を、前記第１ウェブサイト運営者Ｎ１に付与することができる。ウェブサイト運営者の情報には、第１ウェブサイト運営者Ｎ１と関連した多様な情報である第１ウェブサイト運営者の情報Ｋ１が保存され得る。本発明の別の実施例により、前記第２地理的アドレスウェブサイトＷ２は第１ウェブサイト運営者Ｎ１に対応する地理的アドレスが第２地理的アドレスＡ２であると認証される前に、予め生成されていてもよい。
【００８１】
次に、本発明の別の実施例によるコミュニケーションポータルサーバー管理方法３００は、第２ウェブサイト運営者Ｎ２に対応する地理的アドレスが第１地理的アドレスＡ１に変更されると、前記地理的アドレスウェブサイト管理部１１１が、前記第１地理的アドレスウェブサイトＷ１を管理する管理権限Ｒ１を、前記第２ウェブサイト運営者Ｎ２に割り当てるステップＳ３５をさらに含むことができる。即ち、前記第１地理的アドレスＡ１に対応するウェブサイト運営者が変更されると、地理的アドレスウェブサイト管理部１１１は、前記第１地理的アドレスＡ１に対応する第１地理的アドレスウェブサイトＷ１を管理する管理権限Ｒ１を、新たに前記第１地理的アドレスＡ１に割り当てられる（assigned）ウェブサイト運営者に付与することができる。例えば、第１ウェブサイト運営者Ｎ１が引っ越した後、空室として残っていた第１地理的アドレスＡ１に第２ウェブサイト運営者Ｎ２が新たに入居した場合、前記表３に記載されたウェブサイト運営者に関するデータは、下記表４のように変更され、データベース部１１９に保存され得る。
【表４】
0006908948.tif 000005
【００８２】
地理的アドレス認証部１１７により前記第２ウェブサイト運営者Ｎ２に対応する地理的アドレスが第１地理的アドレスＡ１に変更されたことが認証されると、地理的アドレスウェブサイト管理部１１１は、第１地理的アドレスウェブサイトＷ１を管理する管理権限Ｒ１を、前記第２ウェブサイト運営者Ｎ２に付与することができる。第２ウェブサイト運営者Ｎ２に対応するウェブサイト運営者の情報には、第２ウェブサイト運営者Ｎ２と関連した多様な情報である第２ウェブサイト運営者の情報Ｋ２が保存され得る。本発明の別の実施例により、前記データベース部１１９は、各ウェブサイト運営者の地理的アドレス変更履歴及び各地理的アドレスウェブサイトのウェブサイト運営者変更履歴などをさらに保存することができる。
【００８３】
次に、本発明の別の実施例によるコミュニケーションポータルサーバー管理方法３００は、サーバー通信部１１５が第２ウェブサイト運営者端末機１５０＿２から第２コンテンツアップロード要請を受信すると、前記第２コンテンツアップロード要請に対応する第２コンテンツ情報を前記第１地理的アドレスウェブサイトＷ１に対応（match）させ、前記第２コンテンツ情報をデータベース部１１９に保存するステップＳ３６をさらに含むことができる。
【００８４】
一例として、第２ウェブサイト運営者Ｎ２がコミュニケーションポータルサーバー１１０に接続してログインした状態であるので、第２ウェブサイト運営者端末機１５０＿２から伝送された第２コンテンツアップロード要請が受信されると、サーバー管理部１１３は、追加的なアクセス権チェック作業なしで第２コンテンツアップロード要請に含まれた第２コンテンツ情報を第１地理的アドレスウェブサイトＷ１に対応（match）させ、前記第２コンテンツ情報をデータベース部１１９に保存することができる。
【００８５】
別の実施例として、前記第２コンテンツアップロード要請から前記第１地理的アドレスウェブサイトＷ１を管理する管理権限Ｒ１が確認されると、前記サーバー管理部１１３は、前記第２コンテンツアップロード要請に対応する第２コンテンツ情報を前記第１地理的アドレスウェブサイトＷ１に対応（match）させ、前記第２コンテンツ情報をデータベース部１１９に保存することができる。
【００８６】
前記第２コンテンツアップロード要請には、第２ウェブサイト運営者Ｎ２に関する情報及び第１地理的アドレスウェブサイトＷ１を管理する管理権限Ｒ１に関する情報のうちの少なくとも一つが含まれてもよく、第２コンテンツ情報が含まれてもよい。また、他の例として、前記第２コンテンツアップロード要請には、第２ウェブサイト運営者Ｎ２に関する情報及び第２コンテンツ情報が含まれててもよく、サーバー管理部１１３は前記第２コンテンツアップロード要請を伝送した第２ウェブサイト運営者Ｎ２が第１地理的アドレスウェブサイトＷ１の管理権限Ｒ１を持っていることを、データベース部１１９を介して確認することもできる。
【００８７】
即ち、ウェブサイト運営者に関するデータは前記表４のような状態でデータベース部１１９に保存されているので、サーバー管理部１１３は、第２ウェブサイト運営者Ｎ２が第１地理的アドレスウェブサイトＷ１の管理権限Ｒ１が付与されたことを、データベース部１１９を介して確認することができる。従って、サーバー管理部１１３は、第２ウェブサイト運営者端末機１５０＿２から受信された第２コンテンツアップロード要請を受諾し、第２コンテンツアップロード要請に対応する第２コンテンツ情報を前記第１地理的アドレスウェブサイトＷ１に対応させ、前記第２コンテンツ情報をデータベース部１１９に保存することができる。一例として、第１ウェブサイト運営者Ｎ１が第１地理的アドレスウェブサイトＷ１にコンテンツをアップロードするために、コンテンツアップロード要請を伝送する場合、サーバー管理部１１３は、第１ウェブサイト運営者Ｎ１は、これ以上第１地理的アドレスウェブサイトＷ１の管理権限Ｒ１を保有していないことを、データベース部１１９を介して確認した後、第１ウェブサイト運営者Ｎ１のコンテンツアップロード要請を拒否することができる。
【００８８】
前記第２コンテンツアップロード要請は、前記サーバー管理部１１３が提供するコンテンツアップロードフォーマットに従って第２ウェブサイト運営者Ｎ２により第２ウェブサイト運営者端末機１５０＿２で生成することができる。
【００８９】
前記第２コンテンツ情報は、前記第２コンテンツアップロード要請に含まれてもよく、第１コンテンツ情報と同様に、地理的アドレス情報、地理的アドレスウェブサイト情報、ウェブサイト運営者の情報、コンテンツ分類情報、コンテンツ詳細分類情報、コンテンツ詳細説明情報、アップロード時間情報のうちの少なくとも一つを含むことができる。一例として、前記第２コンテンツ情報は、第２ウェブサイト運営者端末機１５０＿２から伝送されたものであるので、第２コンテンツ情報に含まれる地理的アドレス情報は第１地理的アドレスＡ１であってもよく、地理的アドレスウェブサイト情報は、第１地理的アドレスウェブサイトＷ１であってもよく、ウェブサイト運営者の情報は、第２ウェブサイト運営者Ｎ２であってもよい。また、第２コンテンツ情報に含まれるコンテンツ分類情報は、第２コンテンツ分類Ｓ２、第２コンテンツ情報に含まれるコンテンツ詳細分類情報は第２コンテンツ詳細分類Ｐ２、第２コンテンツ情報に含まれるコンテンツ詳細説明情報は第２コンテンツ詳細説明Ｄ２、第２コンテンツ情報に含まれるアップロード時間情報は第２アップロード時間Ｔ２であってもよい。従って、第２コンテンツの名称をＣ２とした場合、第２コンテンツ情報に関するデータは、前記表２の第１コンテンツ情報に関するデータに追加され、下記表５のような形態でデータベース部１１９に保存され得る。
【表５】
0006908948.tif 000006
【００９０】
一例として、前記コンテンツ分類情報には「不動産」、「割引」、「求人求職」、「販売」、「購買」等が含まれてもよく、第２コンテンツ情報に含まれるコンテンツ分類情報である第２コンテンツ分類Ｓ２は、前述したコンテンツ分のいずれか一つであってもよい。また、前記コンテンツ詳細分類情報は、前記コンテンツ分類情報によりそれぞれ異なる詳細分類を含むことができ、第２コンテンツ情報に含まれるコンテンツ詳細分類情報である第２コンテンツ詳細分類Ｐ２は、前述したコンテンツ詳細分類のいずれか一つであってもよい。コンテンツ詳細説明情報には、当該コンテンツに関し、ウェブサイト運営者が入力した詳細な説明が保存され得る。アップロード時間情報には、当該コンテンツがアップロードされた時間が保存され得る。
【００９１】
次に、本発明の別の実施例によるコミュニケーションポータルサーバー管理方法３００は、サーバー通信部１１５がユーザ端末機１７０からコンテンツ伝送要請を受信し、サーバー管理部１１３が前記コンテンツ伝送要請に対応する少なくとも一つのコンテンツを前記ユーザ端末機１７０に提供するステップＳ３７をさらに含むことができる。ユーザは、ユーザ端末機１７０を介してサーバー管理部１１３が提供するポータルサイトに接続し、コンテンツ伝送要請をサーバー通信部１１５に伝送することができる。ユーザは、ソフトウェアアプリケーション配布管理部１１８からダウンロードしたアプリケーションプログラムを介してコンテンツ伝送要請をサーバー通信部１１５に伝送することができる。一例として、サーバー管理部１１３は、前記コンテンツ伝送要請に対応する少なくとも一つのコンテンツをアップロード時間情報又はコンテンツをアップロードしたウェブサイト運営者により前記ユーザ端末機１７０に提供することができる。
【００９２】
一例として、ユーザ端末機１７０から伝送された前記コンテンツ伝送要請に前記要請された地理的アドレスウェブサイトに対する情報が含まれた場合、前記サーバー管理部１１３が前記要請された地理的アドレスウェブサイトに対応する少なくとも一つのコンテンツをユーザ端末機１７０に提供することができる。一例として、前記コンテンツ伝送要請に前記要請された地理的アドレスウェブサイトに対する情報が含まれた場合、前記サーバー管理部１１３は、前記要請された地理的アドレスウェブサイトに対応する少なくとも一つのコンテンツをアップロード時間情報により順次に整列し、前記少なくとも一つのユーザ端末機１７０に提供することができる。また、サーバー管理部１１３は、コンテンツをアップロードしたウェブサイト運営者により前記要請された地理的アドレスウェブサイトに対応する少なくとも一つのコンテンツを分類し、少なくとも一つのユーザ端末機１７０に提供することもできる。前記要請された地理的アドレスウェブサイトは、ユーザがユーザ端末機１７０を利用して選択した地理的アドレスウェブサイトであり、ユーザがコンテンツを受信しようとする地理的アドレスウェブサイトであってもよい。
【００９３】
例えば、前記表５に示されたように、第１コンテンツＣ１及び第２コンテンツＣ２がコミュニケーションポータルサーバー１１０にアップロードされた状態を仮定すれば、ユーザ端末機１７０からサーバー通信部１１５に伝送されたコンテンツ伝送要請に前記要請された地理的アドレスウェブサイトに対する情報として第１地理的アドレスウェブサイトＷ１に対する情報が含まれている場合、サーバー管理部１１３は、前記第１地理的アドレスウェブサイトＷ１に対応する第１コンテンツＣ１及び第２コンテンツＣ２をユーザ端末機１７０に提供することができる。従って、ユーザが入力した前記要請された地理的アドレスウェブサイトに対応する少なくとも一つのコンテンツは、過去に前記要請された地理的アドレスウェブサイトの管理権限を付与された少なくとも一つのウェブサイト運営者によってアップロードされたコンテンツの全部又は一部を含むことができる。一例として、サーバー管理部１１３は第１コンテンツＣ１及び第２コンテンツＣ２を第１アップロード時間Ｔ１及び第２アップロード時間Ｔ２の順序に整列し、第１コンテンツＣ１及び第２コンテンツＣ２を前記ユーザ端末機１７０に提供することができる。
【００９４】
本発明の別の実施例によるコミュニケーションポータルサーバー管理方法３００は、ユーザが第１地理的アドレスウェブサイトＷ１を選択した場合、第１地理的アドレスウェブサイトＷ１の現在のウェブサイト運営者である第２ウェブサイト運営者Ｎ２によりアップロードされたコンテンツだけでなく、第１地理的アドレスウェブサイトＷ１の以前のウェブサイト運営者である第１ウェブサイト運営者Ｎ１によりアップロードされたコンテンツまで全部ユーザ端末機１７０ｎ提供することができる長所がある。即ち、ユーザは、過去のウェブサイト運営者端末機によってアップロードされたコンテンツも同じ地理的アドレスに対応する地理的アドレスウェブサイトを介して得ることができるようになる。
【００９５】
即ち、前記地理的アドレスウェブサイトは、特定の地理的アドレス下で行われる一つの行為に対するものではなく、特定の地理的アドレスに当該する場所そのものを代弁するというものであるため、特定の地理的アドレスに当該する場所に対する権限がある人から別の人に移動すると、地理的アドレスウェブサイトの管理権限も別の人に帰属することになる。地理的アドレスウェブサイトの管理権限を新たに付与された人は、ウェブサイト運営者端末機１５０を介してコミュニケーションポータルサーバー１１０に接続した後、コンテンツをアップロードして、地理的アドレスウェブサイトを新たに構成することができる。
【００９６】
一方、本発明によるコミュニケーションポータルサーバー管理方法は、図２及び図３を参照して、前述したコミュニケーションポータルサーバー管理方法を行うプログラムが記録された非法定（non-statutory）コンピュータ可読媒体によって実行され得る。また、本発明によるコミュニケーションポータルサーバー管理方法は、ハードウェアと結合され、図２及び図３を参照して前述したコミュニケーションポータルサーバー管理方法を実行させるために媒体に保存されたコンピュータプログラムによって実行され得る。
【００９７】
図４は、本発明の一実施例によるコンテンツアップロード画面を示す概略図である。図４に示されたコンテンツアップロード画面４００は、コミュニケーションポータルサーバー１１０のサーバー管理部１１３がウェブサイト運営者端末機１５０に提供することができ、ウェブサイト運営者がウェブサイト運営者端末機１５０を介してコミュニケーションポータルサーバー１１０に接続してログインした後、コンテンツアップロード画面に進入する場合、ウェブサイト運営者端末機１５０の表示部を介してコンテンツアップロード画面４００が表示され得る。前記コンテンツアップロード画面４００は、ウェブサイト運営者が管理権限を有している地理的アドレスウェブサイトに対応するコンテンツアップロード画面であってもよい。
【００９８】
図４に示されるように、ウェブサイト運営者は、不動産（Real estate）、割引（Discount）、求人求職（Jobs）、販売（Sell）、購買（Purchase）のコンテンツ分類４１０のいずれか一つのコンテンツ分類を選択することができる。また、ウェブサイト運営者が少なくとも一つのコンテンツ分類４１０から不動産を選択した場合、ウェブサイト運営者は、コンテンツ詳細分類４２０で売買（Sale）や賃貸（Lease）のいずれか一つを選択することができる。また、ウェブサイト運営者はコンテンツ詳細説明４３０に当該コンテンツに関する詳細な説明を入力することができる。また、図４に示されるように、ウェブサイト運営者は、位置４４０及び内部写真４５０に関するデータをさらに入力することもできる。
【００９９】
ウェブサイト運営者がウェブサイト運営者端末機１５０を介してコンテンツアップロード要請命令を入力すれば、前記コンテンツ分類４１０、コンテンツ詳細分類４２０、コンテンツ詳細説明４３０、位置４４０及び内部写真４５０等の情報を含むコンテンツアップロード要請が生成され、コミュニケーションポータルサーバー１１０に伝送され得る。これにより、図４に示されたような不動産コンテンツがコミュニケーションポータルサーバー１１０にアップロードされ得る。割引（Discount）、求人求職（Jobs）、販売（Sell）、購買（Purchase）に対するコンテンツも図４と同様にウェブサイト運営者によってアップロードされ得る。
【０１００】
図５は、本発明の一実施例による第１コンテンツ提供画面を示すスクリーンショットである。図５に示された第１コンテンツ提供画面５００は、コミュニケーションポータルサーバー１１０のサーバー管理部１１３が、ユーザ端末機１７０に提供でき、ユーザがユーザ端末機１７０を介してコミュニケーションポータルサーバー１１０に接続し、コンテンツ提供画面に進入する場合、前記第１コンテンツ提供画面５００がユーザ端末機１７０の表示部を介して表示され得る。
【０１０１】
図５に示されるように、本発明の一実施例による第１コンテンツ提供画面５００は、ユーザ端末機１７０を介してユーザから入力された地域やユーザ端末機１７０の位置に対応する地域の地図が表示され、当該地域にアップロードされたコンテンツのアイコン５１０、５２０、５３０、５４０、５５０が当該地理的アドレスに対応する位置に表示され得る。
【０１０２】
図５を参照すれば、第１コンテンツアイコン５１０は、コンテンツ分類が「割引」であり、割引率が２０％であるコンテンツに対応し得、第２コンテンツアイコン５２０は。コンテンツ分類が「求人求職」であり、コンテンツ詳細分類が雇用（Hire）のコンテンツに対応し得る。第３コンテンツアイコン５３０は、コンテンツ分類が「販売」のコンテンツに対応し得、第４コンテンツアイコン５４０は、コンテンツ分類が「不動産」であり、コンテンツ詳細分類が売買（Sale）のコンテンツに対応し、第５コンテンツアイコン５５０はコンテンツ分類が「不動産」であり、コンテンツ詳細分類が賃貸（Lease）のコンテンツに対応し得る。前記コンテンツはそれぞれの地理的アドレスに対応する地理的アドレスウェブサイトの運営者によってアップロードされたものであってもよい。
【０１０３】
また、本発明の別の実施例により、本発明の一実施例による第１コンテンツ提供画面５００は、ユーザが入力したコンテンツ分類に対応するコンテンツのみを表示することもできる。例えば、ユーザが「不動産」コンテンツのみ検索しようとする場合、「不動産」コンテンツ提供命令を入力すれば、「不動産」関連コンテンツではないコンテンツのアイコン５１０、５２０、５３０は、前記第１コンテンツ提供画面５００に表示されず、「不動産」関連コンテンツのアイコン５４０、５５０だけが前記第１コンテンツ提供画面５００に表示され得る。
【０１０４】
また、本発明の別の実施例により、本発明の一実施例による第１コンテンツ提供画面５００は、現在の進行中のコンテンツのみを表示することもできる。例えば、既に、取引、割引、雇用などが完了したコンテンツは、前記第１コンテンツ提供画面５００に表示されなくてもよい。このために、前記データベース部１１９には、当該コンテンツの進行／完了の有無がさらに保存され得る。
【０１０５】
また、本発明の別の実施例により、本発明の一実施例による第１コンテンツ提供画面５００は、ユーザが選択した特定時点のコンテンツを表示することもできる。例えば、ユーザが過去の特定時点（例:１年前）を選択する場合、前記特定時点にアップロードされていたコンテンツが前記第１コンテンツ提供画面５００に表示され得る。
【０１０６】
本発明の一実施例によるコミュニケーションポータルサーバー１１０は、ユーザ端末機１７０から伝送されたコンテンツ伝送要請に従ってデータベース部１９０に保存されたコンテンツを前述したように多様な形態に分類し、分類されたコンテンツをユーザ端末機１７０に提供することができる。
【０１０７】
図６は、本発明の別の実施例による第２コンテンツ提供画面を示すスクリーンショットである。図６に示された第２コンテンツ提供画面６００は、コミュニケーションポータルサーバー１１０のサーバー管理部１１３がユーザ端末機１７０に提供でき、ユーザがユーザ端末機１７０を介してコミュニケーションポータルサーバー１１０に接続し、コンテンツ提供画面に進入する場合、第２コンテンツ提供画面６００がユーザ端末機１７０の表示部を介して表示され得る。
【０１０８】
図６に示されるように、本発明の別の実施例による第２コンテンツ提供画面６００は、ユーザ端末機１７０を通じてユーザから入力された地域やユーザ端末機１７０の位置に対応する地域の地図が表示され得、当該地域に存在する地理的アドレスウェブサイトのアイコン６１０、８２０が当該地理的アドレスに対応する位置に表示され得る。
【０１０９】
ユーザが、ユーザ端末機１７０を介して前記地理的アドレスウェブサイトアイコン６１０、６２０を選択する場合、選ばれた地理的アドレスウェブサイトに対する情報がコンテンツ伝送要請に含まれコミュニケーションポータルサーバー１１０に伝送され得る。コミュニケーションポータルサーバー１１０は、ユーザが選択した地理的アドレスウェブサイトの詳細情報を、ユーザ端末機１７０を介してユーザに提供することができる。前記地理的アドレスウェブサイトの詳細情報は、現在又は過去のウェブサイト運営者、地理的アドレスウェブサイトのインターネットアドレス（ＵＲＬ）、地理的アドレスウェブサイトを介してアップロードされたコンテンツに関する情報などを含むことができる。
【０１１０】
図３を参照して、前述したように、前記地理的アドレスウェブサイトを介してアップロードされたコンテンツには、以前のウェブサイト運営者によってアップロードされたコンテンツも全部含まれ得る。一例として、前記表５に記載された第１地理的アドレスウェブサイトＷ１が、前記地理的アドレスウェブサイトアイコン６１０に対応し、前記表５に記載されたように、第１コンテンツＣ１及び第２コンテンツＣ２がコミュニケーションポータルサーバー１１０のデータベース部１９０にアップロードされた場合、ユーザが第１地理的アドレスウェブサイトＷ１を選択すれば、第１地理的アドレスウェブサイトＷ１の現在のウェブサイト運営者である第２ウェブサイト運営者Ｎ２によりアップロードされた第２コンテンツＣ２だけでなく、第１地理的アドレスウェブサイトＷ１の以前のウェブサイト運営者である第１ウェブサイト運営者Ｎ１によりアップロードされた第１コンテンツＣ１までユーザ端末機１７０を介して提供することができる。前記コンテンツは、リストや格子状などの多様な形式でユーザ端末機１７０に提供することができる。従って、本発明の一実施例によるコミュニケーションポータルサーバー１１０は、それぞれの地理的アドレスに対応する地理的アドレスウェブサイトの運営者が変更されても以前のウェブサイト運営者によって蓄積されたコンテンツ情報が同じ地理的アドレスに対応する地理的アドレスウェブサイトを介して提供することができる効果がある。
【０１１１】
また、本発明の別の実施例により、ユーザが地理的アドレスウェブサイトのウェブサイト運営者に関する情報を要請する場合、コミュニケーションポータルサーバー１１０は、当該ウェブサイト運営者の地理的アドレス変更履歴をユーザ端末機１７０に提供することができる。例えば、図３を参照して、前述したように、第１ウェブサイト運営者Ｎ１の事業場の位置が第１地理的アドレスＡ１から第２地理的アドレスＡ２に変更された場合、ユーザが第１ウェブサイト運営者Ｎ１に関する情報を要請すれば、コミュニケーションポータルサーバー１１０は、第１ウェブサイト運営者Ｎ１の現在の地理的アドレスである第２地理的アドレスＡ２だけでなく、過去地理的アドレスである第１地理的アドレスＡ１に対する情報もユーザ端末機１７０に提供することができる。また、ユーザが、地理的アドレスウェブサイトのウェブサイト運営者がアップロードしたコンテンツに対する情報を要請する場合、コミュニケーションポータルサーバー１１０は、当該ウェブサイト運営者が過去にアップロードしたコンテンツをユーザ端末機１７０に提供することができる。
【０１１２】
一方、本発明の別の実施例により、ユーザは、ユーザ端末機１７０を介してコミュニケーションポータルサーバー１１０に接続していない状態においても地理的アドレスウェブサイトのインターネットアドレス（ＵＲＬ）を入力し、地理的アドレスウェブサイトに直ぐに接続することもできる。
【０１１３】
図７は、本発明の一実施例による地理的アドレスウェブサイトにおいて過去ウェブサイト情報を提供する画面を示す概略図である。図７を参照すれば、前記画面７００は、特定地理的アドレスに対応する地理的アドレスウェブサイトに接続すれば、表示される画面であり、前記特定地理的アドレスに存在した過去の地理的アドレスウェブサイトに対応するタブ７１０を含むことができる。
【０１１４】
ユーザが前記タブ７１０を選択すれば、特定地理的アドレスに存在した過去の地理的アドレスウェブサイトが羅列されたリスト７２０が表示される。前記リスト７２０には、前記過去の地理的アドレスウェブサイトが期間別に分類されて表示される。一例として、前記期間別に分類された過去の地理的アドレスウェブサイトは、互いに異なるウェブサイト運営者によって運営された地理的アドレスウェブサイトであってもよい。このために、コミュニケーションポータルサーバー１１０のデータベース部１１９は、各地理的アドレスウェブサイトのウェブサイト運営者変更履歴を保存することができる。地理的アドレスウェブサイトのウェブサイト運営者が変更されると、以前のウェブサイト運営者によって運営された地理的アドレスウェブサイトは、過去の地理的アドレスウェブサイトに分類され、前記リスト７２０に追加され得る。ユーザが過去の地理的アドレスウェブサイトを選択すれば、コミュニケーションポータルサーバー１１０は、過去の地理的アドレスウェブサイトから過去のウェブサイト運営者によってアップロードされたコンテンツをユーザ端末機１７０に提供することができる。
【０１１５】
前述したように、前記過去の地理的アドレスウェブサイトは、現在の地理的アドレスウェブサイトと同じインターネットアドレス（ＵＲＬ）を有する地理的アドレスウェブサイトであってもよい。従って、本発明の一実施例によるコミュニケーションポータルサーバー１１０は、それぞれの地理的アドレスに対応する地理的アドレスウェブサイトの運営者が変更されても、以前のウェブサイト運営者によって蓄積されたコンテンツ情報が同じ地理的アドレスに対応する地理的アドレスウェブサイトを介して提供される。
【０１１６】
本発明の別の実施例により、現在のウェブサイト運営者によって運営されている現在のウェブサイトも共に、リスト７２０に表示される。ユーザが現在のウェブサイトを選択する場合、ユーザ端末機１７０は、現在のウェブサイト運営者によってアップロードされたコンテンツのみを得ることができる。
【０１１７】
図８は、本発明の別の実施例による地理的アドレスウェブサイトで過去ウェブサイト情報を提供する画面を示す概略図である。前記画面８００は、特定地理的アドレスに対応する地理的アドレスウェブサイトに接続すれば、表示される画面であり、前記特定地理的アドレスに存在した過去の地理的アドレスウェブサイトに対応するタブ８１０を含むことができる。
【０１１８】
ユーザが、前記タブ８１０を選択すれば、前記特定地理的アドレスに存在した過去の地理的アドレスウェブサイトが羅列されたリスト８２０が表示される。前記リスト８２０には、前記過去の地理的アドレスウェブサイトが、ウェブサイト運営者が管理権限を保有した期間８２３に応じて分類されて表示され、それぞれの期間８２３の右側には当該期間に地理的アドレスウェブサイトの管理権限を保有したウェブサイト運営者８２８が表示され得る。
【０１１９】
図８（ａ）は、前記画面８００に対応する地理的アドレスウェブサイトが２０１３年３月８日から現在まで「Astro Burger」という食堂を運営するウェブサイト運営者によって管理されていることを示す画面である。即ち、前記画面８００に表示された地理的アドレスウェブサイトに対応する地理的アドレスで現在「Astro Burger」という食堂が運営されている状態である。
【０１２０】
図８（ｂ）は、「Astro Burger」という食堂が他の地理的アドレスに引っ越し、「Tinto」という食堂が、前記「Astro Burger」という食堂が運営されていた地理的アドレスに移った場合の地理的アドレスウェブサイトの画面を示す図面である。「Tinto」という食堂を運営するウェブサイト運営者が新しい地理的アドレスに対して認証を完了すれば、前記「Tinto」という食堂を運営するウェブサイト運営者に、前記画面８００に表示された地理的アドレスウェブサイトの管理権限が付与され得る。これにより、図８（ｂ）に示されるように、「Tinto」という食堂が前記画面８００のリスト８２０に追加される。ユーザは、前記画面８００を介して、前記画面８００に表示された地理的アドレスウェブサイトに対応する地理的アドレスにおいて、これ以上「Astro Burger」という食堂が運営されていなく、「Tinto」という食堂が運営されている状態であることを知ることができる。
【０１２１】
ユーザが、ユーザ端末機１７０を介して、リスト８００上からいずれか一つのウェブサイト運営者８２８を選択すれば、選択したウェブサイト運営者によってアップロードされたコンテンツを得ることができる。
【０１２２】
一方、図４〜図８に示された画面はいずれも例示であり、画面のレイアウトや構成などは通常の技術者に知らされた範囲内で多様に変更され得る。
【０１２３】
本明細書に記載された多様な実施例は、ハードウェア、ミドルウェア、マイクロコード、ソフトウェア及び／又はそれらの組み合わせによって具現され得る。例えば、多様な実施例は、一つ以上の特定用途向け半導体（ＡＳＩＣ）、ディジタル信号プロセッサ（ＤＳＰ）、ディジタル信号処理装置（ＤＳＰＤ）、プログラム可能論理デバイス（ＰＬＤ）、フィールドプログラマブルゲートアレイ（ＦＰＧＡ）、プロセッサ、コントローラー、マイクロコントローラー、マイクロプロセッサ、ここで提示される機能を行うように設計される他の電子ユニット又はそれらの組み合わせ内で具現され得る。
【０１２４】
また、例えば、多様な実施例は、命令を含むコンピュータ可読媒体に収録されるか、エンコーディングされる。コンピュータ可読媒体に収録又はエンコーディングされた命令は、プログラム可能なプロセッサ又は他のプロセッサに、例えば、命令が実行されるとき、方法を行うようにすることができる。コンピュータ・判読可能な媒体は、コンピュータ保存媒体、及び一つの場所から別の場所へとプログラムの移送を容易にする任意の媒体を含む通信媒体を全て含む。  保存媒体は、コンピュータによってアクセスできる任意の使用可能媒体でもある。例えば、このようなコンピュータ可読媒体は、ＲＡＭ、ＲＯＭ、ＥＥＰＲＯＭ、ＣＤ−ＲＯＭ又はその他の光学ディスク保存媒体、磁気ディスク保存媒体又はその他の磁気保存デバイス、又は所望のプログラムコードをコンピュータによってアクセス可能な命令又はデータ構造の形態で搬送するか、保存するのに利用され得る任意の他の媒体を含むことができる。
【０１２５】
このようなハードウェア、ソフトウェア、ファームウェアなどは、本明細書に記述された多様な動作及び機能を支援するように同じデバイス内で又は個別デバイス内で具現することができる。さらに、本発明において、「〜部」と記載された構成要素、ユニット、モジュール、コンポーネントなどは、共に又は個別的であるが、相互運用可能なロジックデバイスであって個別的に具現することができる。モジュール、ユニットなどに対する互いに異なる特徴の描写は、互いに異なる機能的実施例を強調するために意図されたものであり、これらが個別ハードウェア又はソフトウェアコンポーネントによって実現されなければならないということを必須的に意味しない。むしろ、一つ以上のモジュール又はユニットと関連した機能は、個別ハードウェア又はソフトウェアコンポーネントによって行われるか、又は共通の若しくは個別のハードウェア又はソフトウェアコンポーネント内に統合され得る。
【０１２６】
特定の順序で動作が図面に示されているが、このような動作が所望の結果を達成するために示された特定の順序、又は順次的な順序で行われるか、又は全て示された動作が行われなければならない必要があるものとして理解されてはいけない。任意の環境では、マルチタスキング及びパラレルプロセシングが有利なことがある。さらに、前述した実施例において、多様な構成要素の区分は、全ての実施例で、このような区分を必要とするものとして理解されてはいけなく、記述された構成要素が一般的に単一ソフトウェア製品に一緒に統合されるか、多数のソフトウェア製品にパッケージングできるということが理解されなければならない。
【０１２７】
本発明による地理的アドレスを基盤とするコミュニケーションポータル管理システム、コミュニケーションポータルサーバー及びその管理方法は、コミュニケーションポータルサーバーが、ウェブサイト運営者の地理的アドレスに対応する地理的アドレスウェブサイトを、それぞれのウェブサイト運営者に提供し、地理的アドレスウェブサイトを運営するウェブサイト運営者端末機が、コミュニケーションポータルサーバーに接続し、コンテンツアップロード要請すれば、コミュニケーションポータルサーバーが、前記コンテンツアップロード要請に含まれたコンテンツを地理的アドレスウェブサイトに対応させ、データベースに保存し、コミュニケーションポータルサーバーが、インターネットユーザから特定のコンテンツに対する要請を受信すれば、前記要請に対応するコンテンツをインターネットユーザに提供することができる効果がある。
【０１２８】
また、本発明による地理的アドレスを基盤とするコミュニケーションポータル管理システム、コミュニケーションポータルサーバー及びその管理方法は、地理的アドレスに対応するウェブサイト運営者が新たに変更されると、コミュニケーションポータルサーバーは、前記地理的アドレスに対応する地理的アドレスウェブサイトの管理権限を新たに変更されたウェブサイト運営者に付与することができる効果がある。
【０１２９】
また、本発明による地理的アドレスを基盤とするコミュニケーションポータル管理システム、コミュニケーションポータルサーバー及びその管理方法は、地理的アドレスウェブサイトがコミュニケーションポータルサーバーによって管理されるので、地理的アドレスウェブサイトの管理権限がある人からから別の人に変わっても、以前のウェブサイト運営者によって蓄積された情報がコミュニケーションポータルサーバーに存在するので、特定の地理的アドレスに当該する場所で過去に発生した情報もインターネットユーザに提供することができる効果がある。
【０１３０】
ここに説明された例示的な実施例は、現在好ましい実施例に対するものである。従って、限定的な目的ではなく、説明的な意味として考慮されるべきと理解しなければならない。各実施例内の特徴又は態様の説明は、別の実施例での他の類似な特徴又は態様に利用可能なものとして一般的に考慮されるべきである。
【図１】
0006908948.tif 000007
【図２】
0006908948.tif 000008
【図３】
0006908948.tif 000009
【図４】
0006908948.tif 000010
【図５】
0006908948.tif 000011
【図６】
0006908948.tif 000012
【図７】
0006908948.tif 000013
【図８】
0006908948.tif 000014